(57)【要約】      （修正有）【課題】保管が容易で、足を洗うのに便利な洗浄具を提供する。【解決手段】石鹸部３と、これに固定される軽石部５とを備える。軽石部５は、ウレタン樹脂を発泡させて形成されている。軽石部５の上面と石鹸部３の下面に接着剤が塗布され、軽石部５の上面に石鹸部３が重ね合わされて固定される。【選択図】図１
0003152790.tif 000002
【実用新案登録請求の範囲】
【請求項１】
石鹸部と、
この石鹸部に重ね合わされて固定されている軽石部と
を備えることを特徴とする洗浄具。
【請求項２】
前記軽石部は、硬質ポリウレタン発泡体により形成されている
ことを特徴とする請求項１に記載の洗浄具。
【請求項３】
前記軽石部には、銅粉が配合されている
ことを特徴とする請求項２に記載の洗浄具。
【請求項４】
前記石鹸部と前記軽石部は、石鹸基剤にグリセリンを添加したものにより互いに固定されている
ことを特徴とする請求項１から請求項３までのいずれかに記載の洗浄具。
【考案の詳細な説明】
【技術分野】
【０００１】
本考案は、身体を洗うのに使用される洗浄具に関するものであり、特に足を洗うのに好適に使用される洗浄具に関するものである。
【背景技術】
【０００２】
従来、浴室において、身体を洗うと共に、踵の角質を除去してなめらかにするために、踵を軽石でこする場合がある。
【考案の概要】
【考案が解決しようとする課題】
【０００３】
しかしながら、従来は、身体を洗う石鹸と、踵をこする軽石とを別々に置いておく必要があり、浴室が煩雑となっていた。また、石鹸を床に置くと滑ってしまったり、べとついてしまったりしていた。さらに、足を洗う石鹸は、できれば身体の他の箇所を洗う石鹸と分けておきたい場合もあるが、従来の石鹸では足用の石鹸と、他の箇所を洗う石鹸とを区別することは困難であった。
【０００４】
本考案が解決しようとする課題は、保管が容易で、特に足を洗うのに便利な洗浄具を提供することにある。
【課題を解決するための手段】
【０００５】
本考案は、前記課題を解決するためになされたものであり、請求項１に記載の考案は、石鹸部と、この石鹸部に重ね合わされて固定されている軽石部とを備えることを特徴とする洗浄具である。
【０００６】
請求項２に記載の考案は、前記軽石部は、硬質ポリウレタン発泡体により形成されていることを特徴とする請求項１に記載の洗浄具である。
【０００７】
請求項３に記載の考案は、前記軽石部には、銅粉が配合されていることを特徴とする請求項２に記載の洗浄具である。
【０００８】
さらに、請求項４に記載の考案は、前記石鹸部と前記軽石部は、石鹸基剤にグリセリンを添加したものにより互いに固定されていることを特徴とする請求項１から請求項３までのいずれかに記載の洗浄具である。
【考案の効果】
【０００９】
本考案の洗浄具によれば、保管が容易で、特に足を洗うのに便利である。
【図面の簡単な説明】
【００１０】
【図１】本考案の洗浄具の一実施例を示す斜視図である。
【図２】図１の洗浄具の製造工程を示す図であり、重ね合わせる前の石鹸板と軽石板を示す概略斜視図である。
【図３】図２の状態から石鹸板と軽石板を重ね合わせて接着している状態を示す図である。
【図４】図３でできた積層物を型抜きして製品とする状態を示す図である。
【考案を実施するための形態】
【００１１】
以下、本考案の洗浄具について、図面に基づき詳細に説明する。
【００１２】
図１は、本考案の洗浄具の一実施例を示す斜視図である。また、図２〜図４はその製作過程を示す概略図であり、図２は、重ね合わせる前の石鹸板と軽石板を示す図、図３は、石鹸板と軽石板を重ね合わせて接着する工程を示す図、図４は型抜きの工程を示す図である。
【００１３】
本実施例の洗浄具１は、石鹸部３と、これに固定される軽石部５とを備える。
石鹸部３は、枠練り石鹸により形成されており、図示例では略楕円形の板状に形成されている。
【００１４】
軽石部５は、ウレタン樹脂を発泡させて形成された硬質ポリウレタン発泡体から構成さており、石鹸部３と同様に、略楕円形の板状に形成されている。本実施例では、石鹸部３と軽石部５は、横断面形状が同じに形成されている。また、本実施例では、軽石部５は、銅粉が配合されて形成されている。
【００１５】
本実施例の洗浄具１は、軽石部５の上面および石鹸部３の下面に接着剤が塗布され、軽石部５の上面に石鹸部３が重ね合わされて固定されることで形成される。
【００１６】
以下に、本実施例の洗浄具１の製造工程について具体的に説明する。
まず、牛脂などの動物油脂またはパーム油などの植物油脂を原料として、脂肪酸中和法により石鹸基剤を製造し、香料などを配合した後、枠練り法により矩形状の石鹸板３１を形成する。また、銅粉を配合したウレタン樹脂を発泡させて矩形状の軽石板５１を形成する。本実施例では、石鹸板３１および軽石板５１は共に、縦寸法が３０ｃｍ、横寸法が４７ｃｍとされる。また、銅粉は、ウレタン樹脂の割合に対して１０％〜１５％内を配合することでカビの発生を防止することができる。本実施例では、約１２％配合されている。
【００１７】
そして、軽石板５１の上面５１ａおよび石鹸板３１の下面３１ａに、接着剤を塗布する。本実施例では、接着剤として、脂肪酸中和法で製造される石鹸基剤にグリセリンを添加したものを使用する。
具体的には、牛脂などの動物油脂またはパーム油などの植物油脂からグリセリンを分離した脂肪酸を、水酸化ナトリウム（ＮａＯＨ）などのアルカリで中和させてつくられる石鹸基剤に、グリセリンを添加したものを接着剤として使用する。
【００１８】
次に、図３に示すように、矩形状の軽石板５１の上面５１ａに、矩形状の石鹸板３１を重ね合わせ、石鹸板３１にプレス板７を当接し、このプレス板７を約３トンの力で押圧して接着する。本実施例では、接着剤が軽石板５１に含浸することで、石鹸板３１と軽石板５１とが強固に固定される。つまり、接着剤が軽石板５１の気孔に入り込むことで、石鹸板３１と軽石板５１とが強固に固定される。
【００１９】
このようにして、軽石板５１と石鹸板３１を一体化したものを石鹸板３１側から所望の形状に型抜きして、製品とする。
軽石板５１（軽石部５）は、石鹸板３１と重ね合わされて押圧される際に折れたり曲がったりしないように、７ｍｍ以上の厚みが好ましく、本実施例では約９ｍｍの厚みとされている。また、石鹸板３１（石鹸部３）は、１０ｍｍ〜２０ｍｍの厚みが好ましく、本実施例では、約１６ｍｍの厚みとされている。
【００２０】
本実施例では、石鹸部３と軽石部５が一体化されていることで、浴室などにおいて、軽石部５を下側にして置いておけば、石鹸が床面やトレーに付着することを防止することができる。また、滑ってしまうおそれもない。
さらに、石鹸部３と軽石部５が一体化されていることで、踵を石鹸部３により洗う作業と、軽石部５でこする作業を連続して容易に行うことができる。
また、軽石部５には銅粉が配合されていることで、カビの発生を防止することができる。
また、石鹸部３と軽石部５を接着する際に、石鹸基剤にグリセリンを添加したものを接着剤として使用していることで、石鹸部３と軽石部５を強固に固定することができると共に、環境及び人体への悪影響がない。
さらに、本実施例の洗浄具１は、石鹸部３と軽石部５が一体化されていることで、通常の石鹸と異なることが即座に判断でき、足以外の身体を洗う石鹸と容易に区別することができる。ただし、洗浄具１は、足以外の身体を洗浄するために使用しても問題はない。
【００２１】
なお、本考案の洗浄具は、上記実施例の構成に限らず、適宜変更可能である。
たとえば、上記実施例では、略楕円形状としたが、円形状、四角形状、またはひょうたん形状などでもよく、形状は限定されない。また、軽石部は、他の材料により形成してもよい。
【符号の説明】
【００２２】
１  洗浄具
３  石鹸部
５  軽石部
【図１】
0003152790.tif 000003
【図２】
0003152790.tif 000004
【図３】
0003152790.tif 000005
【図４】
0003152790.tif 000006